(57)【要約】      （修正有）【課題】簡単な構造で確実なシール性により衛生的で掃除しやすい排水桝のトラップ装置を提供すること。【解決手段】ステンレス製のトラップ装置の円筒状の立上げ管１１の下部に傾斜した環状嵌合部１３を設け、かつ排水桝１の底部に設けられた係合管１７に前記傾斜嵌合部の形状に対応した台形環状の傾斜嵌合部を設けるとともに、前記立上げ管の傾斜嵌合部と係合管の傾斜凹嵌合部とに相互の嵌合の際のシール性を密にするためのシール材を介在させ、前記立上げ管の傾斜嵌合部を前記係合管の凹嵌合部に嵌合することにより水密性を保持する構造として防臭・防虫している。【選択図】図２
0003104625.tif 000002
【実用新案登録請求の範囲】
【請求項１】
排水桝本体と、円筒状の立ち上管と、この立ち上管に被せる椀形のキャップと、排水桝の底に取り付けられた排水用の係合管とからなるステンレス材の排水桝のトラップ装置において、
ステンレス製のトラップ装置の円筒状の立上げ管の下部に傾斜した環状嵌合部を設け、かつ排水桝の底部に設けられた係合管に前記傾斜嵌合部の形状に対応した台形環状の傾斜嵌合部を設けるとともに、前記立上げ管の傾斜嵌合部と係合管の傾斜凹嵌合部とに相互の嵌合の際のシール性を密にするためのシール材を介在させ、前記立上げ管の傾斜嵌合部を前記係合管の凹嵌合部に嵌合することにより水密性を保持する構造としたことを特徴とする排水桝のトラップ装置。
【考案の詳細な説明】
【技術分野】
【０００１】
本考案は、各種厨房、食品工場、薬品工場または研究施設等で使用されるステンレス製床排水桝のトラップ装置に関する。
【背景技術】
【０００２】
下水路などの排水管から発生する蚊等の虫および臭気を外部に漏れないようにしたものに特開２００２−３８５５６号公報に示されるものがある。これは、蚊等虫および臭気を外部に漏れないようにするため、排水桝と内部にネジを切った係合管とを接合し、下部にネジ部を切った円筒状のトラップ管をパッキン材を介装して前記係合管に螺合して係止したものである。また係合管内部の溝にＯリングを嵌め、トラップ管を差し込んで下方外周面をＯリングと当接させて係合止着している。
【０００３】
しかしながら、従来のものは、蚊等の虫および臭気を外部に漏れない構造となっているが、前者はネジで螺合しているため着脱が簡単でなかった。また後者は、係合管内部に溝を穿設してＯリングを嵌める構造のため、長い年月の経時変化によりＯリングが劣化したときは交換の必要があり、また構造が複雑で高価につく欠点があった。
【特許文献１】特開２００２−３８５５６号公報
【特許文献２】実開昭６３−４１６７５号公報
【特許文献３】実開平１−１６７４６９号公報
【考案の開示】
【考案が解決しようとする課題】
【０００４】
本考案の解決しようとする課題は、これらの欠点に鑑み、簡単な構造で確実なシール性により衛生的で掃除のしやすい排水桝のトラップ装置を提供することにある。
【課題を解決するための手段】
【０００５】
本考案は、ステンレス製のトラップ装置の円筒状の立上げ管の下部に傘状に傾斜して張り出した傘嵌合部（凹嵌合部も可）を設け、かつ排水桝の底部に設けられた取出し管に前記傘状の嵌合部の形状に対応した傾斜形状の台形状の凹嵌合部を設けるとともに、幅広の周面積を有する前記立上げ管の傘嵌合部と取出し管の凹嵌合部とに相互の嵌合の際のシール性を密にするためのシール材をコーティングして介在させ、前記立上げ管の傘嵌合部を取出し管の凹嵌合部に嵌合せることにより水密を保持する構造としたことを特徴とする
【考案の効果】
【０００６】
この構造により、清掃を行う際、シール性を損なうことなく簡単に係合管にトラップ装置の着脱を行うことが可能となるため着脱の際にトラップ装置が傷がつきにくいため、衛生的であり掃除がしやすい効果を奏する。
【考案を実施するための最良の形態】
【０００７】
実施例１に本考案の一つの実施例を示す。
実施例２に本考案の他の実施例を示す。
【実施例１】
【０００８】
図１に、床排水桝設備の概要を示す。１は床排水桝の本体、２はそれに接続される排水管、３はトラップ装置を構成する円筒状の立ち上管で排水桝１の底にある係合管４に嵌め込まれる。５はトラップ装置を構成する椀状のキャップで立ち上管３に被せられる。６は排水に含まれるゴミを除去するためのバスケットである。排水溝や床上を流れてくる排水は、バスケット６を通過して排水桝１に流れ込み溜まる。
【０００９】
図２に、この考案に係るトラップ装置の構造を示す。
１１は、ステンレス材の円筒状の立ち上管で、その下部に円筒状の管１２に溶接接合されたステンレス材の傾斜した環状台形の傘嵌合部１３を有する。上部には、図３（ａ）に示すようなハンドル状のキャップ受け１４が取付けられている。このキャップ受け１４には、お椀のような椀状キャップ１５が被せられる。１６はその取手である。トラップ装置は、椀状キャップ１５、キャップ受け１４、立ち上管１１とその傘状嵌合部１３から構成される。
【００１０】
傘状嵌合部１３の円筒状の管１２への接合は、螺合されてもでもよいし（接合部にＯリングが必要）、一体的に形成されてもよい。このケースでは溶接されている。
【００１１】
立ち上管１１の傘状嵌合部１３の傾斜している環状台形の斜面部１３Ａには、合成樹脂またはゴム類のシール材が接合技術によって環状周面に幅広に適度にコーティング２３が施されている。
【００１２】
排水桝１の底には、ステンレス材の円筒状の係合管１７が接合されている。中央には、台形状の円筒孔１８が開けられており、前記傘状嵌合部１３に対応した傾斜形状の台形状の凹嵌合部となっている。傾斜している斜面部１９の高さは、この例では傘状嵌合部１３の斜面部１３Ａのほぼ倍程度であり、傘状嵌合部１３の斜面部１３Ａと同様に合成樹脂またはゴム類のシール材が接合技術によってその環状周面に幅広に適度にコーティング２４が施されている。
【００１３】
図４に嵌め合い部分の拡大図を示す。立ち上管１１の傘状嵌合部１３が矢印で示すように上方から係合管１７の凹嵌合部１８の斜面部１９に嵌め合わせられると、立ち上管１１の傘嵌合部１３のシール材コーティング部２３が係合管１７の斜面部１９のシール材コーティング部２４に嵌合し、水密性を良好に保つシール材嵌合部の接合面積が広いので水密度を高く簡単な構造で達成できる。
シール材のコーティング部２３・２４は、前記傘状嵌合部１３か凹嵌合部１８のいずれか一方にあってもよい。
【００１４】
図５を参考にすると、２点鎖線２０は排水桝１に溜まった排水の高さを示す。排水桝１に流れ込む排水は椀状キャップ１５の内側２１に矢印２２のように流れ込み、さらに立ち上管１１の内部を介して係合管１７に流れ込み、排水管へと排出される。こうした構造により下水路からの蚊等の虫および臭気を防ぐことができる。
【００１５】
掃除のときは、排水桝１内に溜まった水を完全排水する。立ち上管１１のハンドル状のキャップ受け１４を手にもって上に引っ張るだけで、係合管１７の凹嵌合部１８との嵌合が簡単に解かれる。
立ち上管１１の傘状嵌合部１３のシール材コーティング部２３と係合管１７のシール材コーティング部２４は面が平滑なので掃除がしやすく。また経年劣化に強い。
【実施例２】
【００１６】
他の実施例として、前記立ち上管１１の凸状の傘状嵌合部２３を図６に示すように、逆に管１２から引っ込んだ凹嵌合部としても良い。上記と同様に環状の斜面部１３Ｂにシール材コーティングを施し、シール材コーティング部２３としても効果は同等である。この場合には、キャップ受け１４は、図３（ｂ）に示すようなハンドル形状となる。同符号は同じ箇所を示す。
図７は拡大図を示す。図８には、上記実施例１と同様に嵌め合った状態の図を示し、上記と同様の効果を奏する。
【００１７】
上記したように、立ち上管１１と係合管１７に、それぞれ環状の傾斜面を形成し、この幅広面にシール材コーティングを施してシール部を構成し、それぞれを嵌め合って水密性を高くした構成とした。簡単な構成により水密性を高めることができ、かつ定期的な掃除が容易となった。また掃除のときに円筒管の嵌合部をコンクリート床・装置金属部に当てるなどの扱いの拙さに起因した傷つけによるシール性の欠如も解消できる。装置が衛生的に管理しやすい。
【図面の簡単な説明】
【００１８】
【図１】本考案の一実施例に係る排水設備の概略説明図である。
【図２】本考案の一実施例を説明する要部断面図である。
【図３】本考案の一実施例のキャップ受けの平面図である。
【図４】図２の一部拡大図である。
【図５】本考案の一実施例の嵌合された状態を説明する断面図である。
【図６】本考案の他の実施例を説明する要部断面図である。
【図７】図６の一部拡大図である。
【図８】本考案の他の実施例の嵌合された状態を説明する断面図である。
【符号の説明】
【００１９】
１・・・排水桝の本体
１１・・・立ち上管
１３・・・立ち上管の傘嵌合部
１５・・・椀キャップ
１３Ｂ・１９・・・傾斜した環状のシール材コーティング部
１７・・・係合管
１８・・・凹嵌合部
２３・２４・・・シール材コーティング部
【図１】
0003104625.tif 000003
【図２】
0003104625.tif 000004
【図３】
0003104625.tif 000005
【図４】
0003104625.tif 000006
【図５】
0003104625.tif 000007
【図６】
0003104625.tif 000008
【図７】
0003104625.tif 000009
【図８】
0003104625.tif 000010
【手続補正書】
【提出日】平成16年3月30日(2004.3.30)
【手続補正１】
【補正対象書類名】実用新案登録請求の範囲
【補正対象項目名】請求項１
【補正方法】変更
【補正の内容】
【請求項１】
排水桝本体と、円筒状の立ち上管と、この立ち上管に被せる椀状のキャップと、排水桝の底に取り付けられた排水用の係合管とからなるステンレス製床排水桝トラップ装置において、
ステンレス製のトラップ装置の円筒状の立上げ管の下部に傾斜した環状嵌合部を設け、かつ排水桝の底部に設けられた係合管に前記傾斜嵌合部の形状に対応した台形環状の傾斜嵌合部を設けるとともに、前記立上げ管の傾斜嵌合部と係合管の傾斜凹嵌合部とに相互の嵌合の際のシール性を密にするためのシール材を介在させ、前記立上げ管の傾斜嵌合部を前記係合管の凹嵌合部に嵌合することにより水密性を保持する構造としたことを特徴とするステンレス製床排水桝トラップ装置。